(57)【特許請求の範囲】
【請求項１】
回転軸方向から吸入した空気を径方向に吹き出す羽根車と、該羽根車を内部に収容し、側面に形成されている空気吸込口から前記羽根車によって吸い込まれた空気を前記羽根車の周りに周回させてディフューザ部の先端に位置する空気吹出口から外部に吹き出すケーシングとを有し、前記空気吹出口から吹き出される単位時間当たりの空気吹出量が所定値に設定されているシロッコファンを備えた空気調和機において、
前記ディフューザ部は、前記空気吹出口に連続するよう下面部と左側面部と右側面部と上面部とで囲まれた断面矩形状に形成され、前記下面部は、前記下面部の奥端に形成された舌部から前記空気吹出口にかけて、前記舌部から前記空気吹出口に吹き出される空気流を前記上面部の方向に向かわせるような斜面に形成され、
且つ、前記ディフューザ部は、前記下面部の前記左側面部側に上向きで左向きに開いた第１分流板を、前記下面部の前記右側面部側に上向きで右向きに開いた第２分流板を、前記上面部の前記左側面部側に下向きで左向きに開いた第３分流板を、前記上面部の前記右側面部側に下向きで右向きに開いた第４分流板を、それぞれ備えていることを特徴とする空気調和機。
【請求項２】
請求項１に記載の空気調和機において、
前記空気吹出口の上下間隔は、前記ディフューザ部の奥部の上下間隔より小さく設定されていることを特徴とする空気調和機。
【請求項３】
請求項２に記載の空気調和機において、
前記ディフューザ部は、前記奥部から前記空気吹出口にかけて、内部の上下間隔が徐々に小さくなるよう設定されていることを特徴とする空気調和機。
【発明の詳細な説明】
【技術分野】
【０００１】
本発明は、送風機としてシロッコファンを備えた空気調和機に関する。
【背景技術】
【０００２】
ダクト型空気調和機の室内機２００は、図３に示すように、建屋天井面３００と室内天井面４００との間に、吊下げボルト５００によって吊下げ状態で設置される。この室内機２００は、室外に設置された図示しない室外機に対して、冷媒配管、電源線及び制御線で接続されており、その室内機２００の筐体２１０の空気吸込口２１２ａに吸込ダクト６００の一端が取り付けられ、空気吹出口２１１ａに吹出ダクト７００の一端が取り付けられている。そして、吸込ダクト６００の他端は室内天井面４００に取り付けられた吸込グリル４１０に接続され、吹出ダクト７００の他端は室内天井面４００に取り付けられた吹出グリル４２０に接続されている。
【０００３】
室内機２００の筐体２１０は横長の直方体形状であり、図４、図５に示すように、背面の空気吸込口２１２ａを囲むダクト取付枠２１２、正面の空気吹出口２１１ａを囲むダクト取付枠２１１、左側面板２１３、右側面板２１４、天面板２１５、及び底面板２１６を有する。
【０００４】
筐体２１０の内部には、仕切板２１７によって、空気吸込口２１２ａの側に送風機室２１８が形成され、空気吹出口２１１ａの側に熱交換器室２１９が形成されている。そして、送風機室２１８内には２台のシロッコファン２２０が並列に配置され、熱交換器室２１９内には側面視でく字形状（図３参照）に組み合わされた２枚の熱交換部からなる熱交換器２３０が配置されている。
【０００５】
シロッコファン２２０は、図６に示すように、モータ２４０の回転軸２４１に結合された羽根車２２１と、羽根車２２１を収容しその羽根車２２１から吹き出される空気を周回させてディフューザ部２２２ａの先端の空気吹出口２２２ａ１から吹き出すケーシング２２２とで形成されている。そして、シロッコファン２２０は、ケーシング２２２の大部分が送風機室２１８内に位置し、ディフューザ部２２２ａの先端の空気吹出口２２２ａ１が、仕切板２１７に形成された開口２１７ａから熱交換器室２１９に突出するように、配置されている。
【０００６】
図７にシロッコファン２２０の側面を示し、図８に正面を示す。ケーシング２２２は、羽根車２２１に空気を吸い込む空気吸込口２２２ｂが両側面２２２ｈに形成され、羽根車２２１によって送り出された空気を吹き出す空気吹出口２２２ａ１にガイドするディフューザ部２２２ａが正面部分に形成されている。
【０００７】
そして、このディフューザ部２２２ａの先端の空気吹出口２２２ａ１の近くの下面部２２２ｃの両側には上向きの分流板２２２ｄが形成され、上面部２２２ｅの両側には下向きの分流板２２２ｆが形成されている。さらに、ディフューザ部２２２ａの下面部２２２ｃの奥端には、空気流に渦が発生することを防止するための舌部２２２ｇが形成されている。
【０００８】
上記した分流板２２２ｄと分流板２２２ｆは、空気吹出口２２２ａ１から吹き出される空気を横外方向に広げるようガイドして、熱交換器２３０の横幅方向の全範囲に空気が吹き付けられるようにするためのものであるが、空気の横方向への広がりが十分ではない場合があった。
【０００９】
そこで、ディフューザ部２２２ａの横幅を空気吹出口２２２ａ１に近づくほど大きくなるように設定して、空気吹出口２２２ａ１から吹き出される空気を横方向に広げる特許文献１に記載の手法を採用することが考えられる。
【先行技術文献】
【特許文献】
【００１０】
【特許文献１】特開２００６−１５２９３６号公報
【発明の概要】
【発明が解決しようとする課題】
【００１１】
しかしながら、ディフューザ部２２２ａの空気吹出口２２２ａ１の横幅を広げると、空気吹出口２２２ａ１の面積が大きくなるため空気流の速度が低下し、予め設定した単位時間当たりの吹出量の空気を生成することができなくなるので、羽根車をより高い能力のものに変更する必要が生じる。
【００１２】
本発明の目的は、吹出空気を横方向に広げることができるようにしても、羽根車を別の能力の羽根車に変更する必要がないようにしたシロッコファンを備えた空気調和機を提供することである。
【課題を解決するための手段】
【００１３】
上記目的を達成するために、請求項１にかかる発明は、回転軸方向から吸入した空気を径方向に吹き出す羽根車と、該羽根車を内部に収容し、側面に形成されている空気吸込口から前記羽根車によって吸い込まれた空気を前記羽根車の周りに周回させてディフューザ部の先端に位置する空気吹出口から外部に吹き出すケーシングとを有し、前記空気吹出口から吹き出される単位時間当たりの空気吹出量が所定値に設定されているシロッコファンを備えた空気調和機において、前記ディフューザ部は、前記空気吹出口に連続するよう下面部と左側面部と右側面部と上面部とで囲まれた断面矩形状に形成され、前記下面部は、前記下面部の奥端に形成された舌部から前記空気吹出口にかけて、前記舌部から前記空気吹出口に吹き出される空気流を前記上面部の方向に向かわせるような斜面に形成され、且つ、前記ディフューザ部は、前記下面部の前記左側面部側に上向きで左向きに開いた第１分流板を、前記下面部の前記右側面部側に上向きで右向きに開いた第２分流板を、前記上面部の前記左側面部側に下向きで左向きに開いた第３分流板を、前記上面部の前記右側面部側に下向きで右向きに開いた第４分流板を、それぞれ備えていることを特徴とする。
【００１４】
請求項２にかかる発明は、請求項１に記載の空気調和機において、前記空気吹出口の上下間隔は、前記ディフューザ部の奥部の上下間隔より小さく設定されていることを特徴とする。
【００１５】
と
請求項３にかかる発明は、請求項２に記載の空気調和機において、前記ディフューザ部は、前記奥部から前記空気吹出口にかけて、内部の上下間隔が徐々に小さくなるよう設定されていることを特徴とする。
【発明の効果】
【００１６】
本発明によれば、ディフューザ部の下面部が、舌部から空気吹出口にかけて、空気吹出口に吹き出される空気流を上面部の方向に向かわせるような斜面に形成されているので、空気吹出口の上下間隔が狭くなる。このとき、ディフューザ部の下面部を流れる空気流は低速であるので、そこに斜面を形成してもその空気流の速度に大きな影響を与えることはない。そして、空気吹出口の上下間隔を狭くした分に対応して空気吹出口の左右間隔を広くすることができる。このため、空気吹出口から吹き出される空気の単位時間当たりの吹出量を変更することなく吹出空気を横方向に広げることができ、羽根車を別の能力のものに変更する必要はない。
【図面の簡単な説明】
【００１７】
【図１】本発明の実施例のシロッコファンの側面図である。
【図２】図１のシロッコファンの正面図である。
【図３】従来のダクト型空気調和機の室内機の取付説明図である。
【図４】従来の室内機の斜視図である。
【図５】従来の室内機の天面板を取り外した状態の斜視図である。
【図６】従来の室内機の天面板を取り外した状態の平面図である。
【図７】従来のシロッコファンの側面図である。
【図８】従来のシロッコファンの正面図である。
【発明を実施するための形態】
【００１８】
図１に本発明の１つの実施例のシロッコファン１００を示す。シロッコファン１００は、モータの回転軸２４１に結合された羽根車１０と、羽根車１０を収容しその羽根車１０から吹き出される空気を羽根車１０の周りに周回させて空気吹出口２１から吹き出す渦巻き形状のケーシング２０とで形成されている。ケーシング２０は、羽根車１０に空気を吸い込む空気吸込口２２が両側の側面板２３に形成され、羽根車１０によって送り出された空気を吹き出す空気吹出口２１にガイドするディフューザ部２４が正面部分に形成されている。
【００１９】
そして、このディフューザ部２４の下面部２４ａにおける空気吹出口２１の近くには、左側面部２４ｂの近くに上向きで且つ左向きに開いた分流板２５ａが形成され、下面部２４ａにおける右側面部２４ｂの近くに上向きで且つ右向きに開いた分流板２５ｂが形成されている。また、ディフューザ部２４の上面部２４ｄにおける空気吹出口２１の近くには、左側面部２４ｂの近くに下向きで且つ左向きに開いた分流板２６ａが形成され、上面部２４ｄにおける右側面部２４ｂの近くに下向きで且つ右向きに開いた分流板２６ｂが形成されている。さらに、ディフューザ部２４の下面部２４ａの奥端には、空気流に渦が発生することを防止するための舌部２４ａ１が形成されている。
【００２０】
ディフューザ部２４の下面部２４ａ、左側面部２４ｂ、右側面部２４ｃ、及び上面部２４ｄは、奥部２４ｅから空気吹出口２１に続く内部形状の断面が矩形となるように形成されている。そして、その下面部２４ａは、ディフューザ部２４の奥部２４ｅ、つまり舌部２４ａ１から空気吹出口２１にかけて、その奥部２４ｅから空気吹出口２１に送る吹出空気の流れを前記上面部２４ｄの方向に向かわせるような斜面に形成されている。
【００２１】
このため、空気吹出口２１の上下間隔Ｌ１は奥部２４ｅの上下間隔Ｌ２よりも短くなっている。そして、奥部２４ｅから空気吹出口２１にかけて、その内部の上下間隔が徐々に小さくなっている。羽根車１０からケーシング２０の空気吹出口２１に吹き出される空気流は、上面部２４ｄの下面が最も高速で下面部２４ａの上面が最も低速であるため、その下面部２４ａを上記したような斜面に設定したときであっても、その空気流に対する影響は小さい。
【００２２】
そして本実施例では、空気吹出口２１の上下間隔Ｌ１を小さくすると同時に、その空気吹出口２１の左右間隔Ｌ３を大きくして、空気吹出口２１の面積（Ｌ１×Ｌ３）に変動が生じないようにする。このように、空気吹出口２１の面積が変化しないようにすると、吹出空気流の単位時間当たりの吹出量が変化せず、羽根車１０の負荷が設定値から変動するおそれはない。
【００２３】
以上から、本実施例のシロッコファン１００によれば、空気吹出口２１から吹き出される空気量に大きな変動を与えることなく、吹出空気を横方向に広げることが可能となる。
【符号の説明】
【００２４】
１００：シロッコファン
１０：羽根車
２０：ケーシング、２１：空気吹出口、２２：空気吸込口、２３：側面板、２４：ディフューザ部、２４ａ：下面部、２４ａ１：舌部、２４ｂ：左側面部、２４ｃ：右側面部、２４ｄ：上面部、２４ｅ：奥部、２５ａ，２５ｂ：分流板、２６：分流板
【図１】
0006686596.tif 000002
【図２】
0006686596.tif 000003
【図３】
0006686596.tif 000004
【図４】
0006686596.tif 000005
【図５】
0006686596.tif 000006
【図６】
0006686596.tif 000007
【図７】
0006686596.tif 000008
【図８】
0006686596.tif 000009